(57)【特許請求の範囲】
【請求項１】
建物に設備された昇降路の各階床間を昇降する乗りかご内に設けられて当該乗りかご内の様子を撮影した結果を示すかご内映像信号を出力するかご内カメラと、前記乗りかご内に設けられて前記かご内映像信号に基づくかご内映像を表示可能なかご内表示器と、前記乗りかご内に設けられて当該乗りかご内の利用者により操作可能な操作釦を備えたかご内操作盤と、前記かご内カメラ、前記かご内表示器、及び前記かご内操作盤と接続されて各部を制御する制御部と、を備えたエレベータ装置において、
前記建物の各階床の乗り場付近に設けられて当該乗り場の様子を撮影した結果を示す乗り場映像信号を出力する乗り場カメラと、前記制御部からの指示により前記かご内表示器へ出力する前記かご内映像信号と前記乗り場映像信号とを切り替えるスイッチャーと、を備え、
前記かご内操作盤は、前記乗りかご内の利用者による操作でかごドアの戸閉状態を継続させる戸閉継続手段を含み、
前記制御部は、前記乗りかごが次回停止階となる階床で停止する前に前記スイッチャーを制御指示して切り替えることで当該次回停止階となる乗り場に設けられた前記乗り場カメラから出力される前記乗り場映像信号に基づく乗り場映像を前記かご内表示器に表示させ、
前記戸閉継続手段は、前記かご内表示器の前記乗り場映像を確認した上、前記乗りかご内の利用者による任意な操作に供され、
更に、前記制御部は、前記戸閉継続手段が操作されなければ前記乗りかごを前記次回停止階となる階床で停止する指示、操作されれば当該乗りかごを次々回停止階となる階床で停止する指示をエレベータ制御装置へ行うことを特徴とするエレベータ装置。
【請求項２】
建物に設備された昇降路の各階床間を昇降する乗りかご内に設けられて当該乗りかご内の様子を撮影した結果を示すかご内映像信号を出力するかご内カメラと、前記乗りかご内に設けられて前記かご内映像信号に基づくかご内映像を表示可能なかご内表示器と、前記乗りかご内に設けられて当該乗りかご内の利用者により操作可能な操作釦を備えたかご内操作盤と、前記かご内カメラ、前記かご内表示器、及び前記かご内操作盤と接続されて各部を制御する制御部と、を備えたエレベータ装置において、
前記乗りかごの外壁側に設けられると共に、前記建物の各階床の乗り場の出入口上部に設置された専用の監視窓、当該出入口に設置される乗り場ドアの所定箇所に設けられた専用の監視窓、或いは当該乗り場ドアに設けられた窓を介して前記昇降路側から当該乗り場の様子を撮影した結果を示す乗り場映像信号を出力する乗り場撮影用かご外カメラと、前記制御部からの指示により前記かご内表示器へ出力する前記かご内映像信号と前記乗り場映像信号とを切り替えるスイッチャーと、を備え、
前記かご内操作盤は、前記乗りかご内の利用者による操作でかごドアの戸閉状態を継続させる戸閉継続手段を含み、
前記制御部は、前記乗りかごが次回停止階となる階床で停止する前に前記スイッチャーを制御指示して切り替えることで当該次回停止階となる乗り場に設けられた前記乗り場撮影用かご外カメラから出力される前記乗り場映像信号に基づく乗り場映像を前記かご内表示器に表示させ、
前記戸閉継続手段は、前記かご内表示器の前記乗り場映像を確認した上、前記乗りかご内の利用者による任意な操作に供され、
更に、前記制御部は、前記戸閉継続手段が操作されなければ前記乗りかごを前記次回停止階となる階床で停止する指示、操作されれば当該乗りかごを次々回停止階となる階床で停止する指示をエレベータ制御装置へ行うことを特徴とするエレベータ装置。
【請求項３】
請求項１又は２記載のエレベータ装置において、
前記制御部は、前記昇降路の所定箇所に設けられた遮蔽板に前記乗りかごに設けられたポジテクタが前記次回停止階となる階床のドアゾーンに入ったことを検出したときに前記スイッチャーへ切り替えの制御指示を行い、
前記かご内表示器は、前記切り替えの制御指示を受けると前記かご内映像から前記乗り場映像へと切り替えて表示することを特徴とするエレベータ装置。
【請求項４】
請求項１又は２記載のエレベータ装置において、
前記戸閉継続手段は、前記かご内操作盤に設けられた既存の戸閉釦とは別に設けられた戸閉継続釦の押圧操作で機能することを特徴とするエレベータ装置。
【請求項５】
請求項１又は２記載のエレベータ装置において、
前記戸閉継続手段は、前記かご内操作盤に設けられた既存の戸閉釦の長押し操作で機能することを特徴とするエレベータ装置。
【発明の詳細な説明】
【技術分野】
【０００１】
本発明は、エレベータの乗りかごを乗り降りする利用者同士のトラブルの発生を回避するサービス機能を持たせたエレベータ装置に関する。
【背景技術】
【０００２】
従来、エレベータ装置では、乗りかご内に防犯装置となる撮影手段となるかご内カメラ及びかご内表示器を設け、かご内カメラによって乗りかご内の様子を撮影した結果を示す映像信号を表示器へ出力し、かご内表示器でかご内映像を表示させることにより、乗りかご内の利用者が他の利用者に何らかの危害を加えることを抑止できるように防犯機能を持たせる技術は一般的に知られている。
【０００３】
こうした防犯機能とは別に、エレベータの利用者同士のトラブルの発生を回避するサービス機能を持たせたエレベータ装置の周知技術として、例えば乗り降りの際に乗りかご側の乗客と乗り場側の客とがぶつかりあうことを防止する機能を持たせた「エレベータの乗りかご」（特許文献１参照）が挙げられる。
【先行技術文献】
【特許文献】
【０００４】
【特許文献１】特開平４−２５１０８２号公報
【発明の概要】
【発明が解決しようとする課題】
【０００５】
上述した特許文献１記載の技術は、乗りかご内に乗り込み客がある乗り場（ホール）の階床を表示する表示体を設け、乗りかご内の利用者が乗り込み客がある階床を事前に認知できるように、停止階となる乗り場の状況を乗りかご内の表示体に表示して乗りかご内の利用者へ報知する機能を持たせることにより、乗りかご内の利用者が乗り場側の客とぶつかり合うことを防止するようにしたものである。
【０００６】
ところで、例えば乗りかご内の利用者が特に女性であれば、乗りかごが停止する乗り場がどのような状況にあるかについて不安を抱く場合も少なくないにも拘らず、特許文献１記載の技術では乗りかご内の表示体に対して停止階となる乗り込み客がある階床を表示するだけの機能であり、停止階となる乗り場の実際の状況、例えばどのような利用者（人物）がどのような人数で乗り場に待機しているか等を具体的に把握することができないため、乗りかご内の利用者の不安を十分に払拭できない上、起こり得る不測の事態（例えば婦女暴行等のトラブル）を事前に回避することもできず、利用者向けのサービス機能が存分に果たされていないという問題がある。
【０００７】
本発明は、このような問題点を解決すべくなされたもので、その技術的課題は、乗りかご内の利用者が次回停止階となる乗り場の状況を十分に把握した上、不測事態を事前に回避し得る利用者向けのサービス機能の優れたエレベータ装置を提供することにある。
【課題を解決するための手段】
【０００８】
上記技術的課題を解決するため、本発明の第１の手段は、建物に設備された昇降路の各階床間を昇降する乗りかご内に設けられて当該乗りかご内の様子を撮影した結果を示すかご内映像信号を出力するかご内カメラと、乗りかご内に設けられてかご内映像信号に基づくかご内映像を表示可能なかご内表示器と、乗りかご内に設けられて当該乗りかご内の利用者により操作可能な操作釦を備えたかご内操作盤と、かご内カメラ、かご内表示器、及びかご内操作盤と接続されて各部を制御する制御部と、を備えたエレベータ装置において、建物の各階床の乗り場付近に設けられて当該乗り場の様子を撮影した結果を示す乗り場映像信号を出力する乗り場カメラと、制御部からの指示によりかご内表示器へ出力するかご内映像信号と乗り場映像信号とを切り替えるスイッチャーと、を備え、かご内操作盤は、乗りかご内の利用者による操作でかごドアの戸閉状態を継続させる戸閉継続手段を含み、制御部は、乗りかごが次回停止階となる階床で停止する前にスイッチャーを制御指示して切り替えることで当該次回停止階となる乗り場に設けられた乗り場カメラから出力される乗り場映像信号に基づく乗り場映像をかご内表示器に表示させ、戸閉継続手段は、かご内表示器の乗り場映像を確認した上、乗りかご内の利用者による任意な判断操作に供され、更に、制御部は、戸閉継続手段が操作されなければ乗りかごを次回停止階となる階床で停止する指示、操作されれば当該乗りかごを次々回停止階となる階床で停止する指示をエレベータ制御装置へ行うことを特徴とする。
【０００９】
また、上記技術的課題を解決するため、本発明の第２の手段は、建物に設備された昇降路の各階床間を昇降する乗りかご内に設けられて当該乗りかご内の様子を撮影した結果を示すかご内映像信号を出力するかご内カメラと、乗りかご内に設けられてかご内映像信号に基づくかご内映像を表示可能なかご内表示器と、乗りかご内に設けられて当該乗りかご内の利用者により操作可能な操作釦を備えたかご内操作盤と、かご内カメラ、かご内表示器、及びかご内操作盤と接続されて各部を制御する制御部と、を備えたエレベータ装置において、乗りかごの外壁側に設けられると共に、建物の各階床の乗り場の出入口上部に設置された専用の監視窓、当該出入口に設置される乗り場ドアの所定箇所に設けられた専用の監視窓、或いは当該乗り場ドアに設けられた窓を介して昇降路側から当該乗り場の様子を撮影した結果を示す乗り場映像信号を出力する乗り場撮影用かご外カメラと、制御部からの指示によりかご内表示器へ出力するかご内映像信号と乗り場映像信号とを切り替えるスイッチャーと、を備え、かご内操作盤は、乗りかご内の利用者による操作でかごドアの戸閉状態を継続させる戸閉継続手段を含み、制御部は、乗りかごが次回停止階となる階床で停止する前にスイッチャーを制御指示して切り替えることで当該次回停止階となる乗り場に設けられた乗り場撮影用かご外カメラから出力される乗り場映像信号に基づく乗り場映像をかご内表示器に表示させ、戸閉継続手段は、かご内表示器の乗り場映像を確認した上、乗りかご内の利用者による任意な判断操作に供され、更に、制御部は、戸閉継続手段が操作されなければ乗りかごを次回停止階となる階床で停止する指示、操作されれば当該乗りかごを次々回停止階となる階床で停止する指示をエレベータ制御装置へ行うことを特徴とする。
【発明の効果】
【００１０】
本発明によれば、上記構成により、乗りかご内の利用者が次回停止階となる乗り場の状況を十分に把握した上、不測の事態を事前に回避し得る利用者向けのサービス機能の優れたエレベータ装置が実現される。上記した以外の課題、構成及び効果は、以下の実施の形態の説明により明らかにされる。
【図面の簡単な説明】
【００１１】
【図１】本発明の実施例に係るエレベータ装置の要部の基本構成を一部破断して示した概略図である。
【図２】図１に示すエレベータ装置に備えられる制御部の動作処理を示したフローチャートである。
【発明を実施するための形態】
【００１２】
以下、本発明のエレベータ装置について、実施例を挙げ、図面を参照して詳細に説明する。
【実施例】
【００１３】
図１は、本発明の実施例に係るエレベータ装置の要部の基本構成を一部破断して示した概略図である。
【００１４】
図１を参照すれば、このエレベータ装置は、建物に設備された昇降路１の図示されない各階床間を昇降する乗りかご２を建物の各階床（建屋）の乗り場（ホール）３の出入口に対向させて停止させ、運搬サービスを提供するものである。乗りかご２内には、乗りかご２内の様子を撮影した結果を示すかご内映像信号を出力するかご内カメラ４と、かご内映像信号に基づくかご内映像を表示可能なカーポジションインジケーター（ＣＰＩ）等によるかご内表示器５と、乗りかご２内に設けられて乗りかご２内の利用者により操作可能な操作釦を備えたかご内操作盤６（汎用的には図示されないかごドア付近に設けられる）と、が設けられている。
【００１５】
また、乗りかご２の外壁側（汎用的には乗りかご２の上部外壁天井）には、かご内カメラ４からのかご内映像信号と後述する建物の各階床の乗り場３付近に設けられて乗り場３の様子を撮影する乗り場カメラ１１から出力される撮影結果を示す乗り場映像信号とを切り替えてかご内表示器５へ出力するスイッチャー７と、昇降路１の所定箇所に設けられた遮蔽板８と対向し、乗りかご２がドアゾーンに入ったことを判断するためのポジテクタ９と、かご内カメラ４、かご内表示器５、かご内操作盤６、スイッチャー７、乗り場カメラ１１、及びポジテクタ９と接続されて各部を制御する制御部として機能するかご上制御マイコン１０と、が備えられている。因みに、かご上制御マイコン１０は、エレベータ装置を統括的に制御するエレベータ制御装置として機能する制御盤制御マイコン１３に接続されている。
【００１６】
更に、建物の各階床の乗り場３付近には、上述した乗り場３の様子を撮影する乗り場カメラ１１が設置され、乗り場３の様子を撮影した結果を示す乗り場映像信号がスイッチャー７へ送出される。かご上制御マイコン１０は、遮蔽板８に乗りかご２に設けられたポジテクタ９が次回の停止階となる階床のドアゾーンに入ったことを検出したときにスイッチャー７へ切り替えの制御指示を行う。そこで、かご内表示器５は、かご上制御マイコン１０から切り替えの制御指示を受けるとかご内映像から乗り場映像へと切り替えて表示する。これにより、かご上制御マイコン１０は、乗りかご２が次回停止階となる階床で停止する前にスイッチャー７を制御指示して切り替えることで次回停止階となる乗り場３に設けられた乗り場カメラ１１から出力される乗り場映像信号に基づく乗り場映像をかご内表示器５に表示させることができる。
【００１７】
加えて、かご内表示器５の表示部には、かご内カメラ４から出力されるかご内映像信号に基づくかご内映像と乗り場カメラ１１から出力される乗り場映像信号に基づく乗り場映像とを表示可能な液晶表示部と、乗りかご２の位置を表示可能な液晶表示部と、が設けられている。その他、乗りかご２内のかご内操作盤６には、乗りかご２内の利用者により任意に操作され、戸閉状態を継続させる専用の戸閉継続釦１２が設けられている。そこで、かご上制御マイコン１０は、乗りかご２内の利用者がかご内表示器５の乗り場映像を確認した上、戸閉継続釦１２を操作するか否かを任意に判断して決定した結果に応じて、戸閉継続釦１２が操作されなければ次回停止階となる階床で停止する指示、操作されれば次々回停止階となる階床で停止する指示を制御盤制御マイコン１３へ行う。尚、実施例に係るエレベータ装置の各機器は、互いに有線で接続されるか、或いは無線通信式で接続されるものである。
【００１８】
実施例に係るエレベータ装置では、かご上制御マイコン１０により、昇降路１の所定箇所に設けられた遮蔽板８に乗りかご２外に設けられたポジテクタ９が次回停止階となる階床のドアゾーン入りの検出時にスイッチャー７へ切り替えの制御指示を行い、乗りかご２が次回停止階となる階床で停止する前に乗り場３に設けられた乗り場カメラ１１から出力される乗り場映像信号に基づく乗り場映像をかご内表示器５に表示させる機能を持たせている。このため、乗りかご２内の利用者がかご内表示器５の乗り場映像を確認した上、かご内操作盤６の戸閉継続釦１２を操作するか否かを任意に判断して決定した結果に応じ、かご上制御マイコン１０が制御盤制御マイコン１３へ指示して戸閉継続釦１２が操作されなければ乗りかご２が次回停止階となる階床で停止するが、戸閉継続釦１２が操作されると次々回停止階となる階床で停止する機能が構築される。この結果、乗りかご２内の利用者が次回停止階となる乗り場３の状況を十分に把握した上、不測の事態を事前に回避し得る利用者向けのサービス機能の優れたものとなる。
【００１９】
尚、本実施例では、乗りかご２内の利用者に対して任意な判断で押下操作すれば戸閉継続させることができる機能が持たされていることを判り易くするため、乗りかご２内のかご内操作盤６に乗りかご２内の利用者による操作でかごドアの戸閉状態を継続維持させる戸閉継続手段として、専用の戸閉継続釦１２を別途設ける構成としたが、その他に例えば予め録音したガイドアナウンス等を再生して戸閉継続機能が持たされている旨を通知すれば、乗りかご２内の利用者が通常操作に供されるかご内操作盤６に既設されている戸閉釦を長押しすることによっても戸閉状態を継続維持させることが可能である。前者の専用の戸閉継続釦１２を設ける構成の場合、不測の事態を事前に回避し得る利用者向けのサービス機能が持たされている旨を容易に乗りかご２内の利用者に認識させられる利点がある。また、後者の乗りかご２内の利用者に向けてガイドアナウンス等を行い、かご内操作盤６に既設されている釦を所定に操作して同等な機能を得る場合には、新設釦を設けなくて済むので、コスト面では割安となるという利点がある。
【００２０】
ところで、上述した実施例に係るエレベータ装置では、建物の各階床の乗り場３の出入口に設置される図示されない乗り場ドアが窓を持たずに昇降路１側から見通せない汎用タイプのドア構成の場合について、乗りかご２内の利用者が乗り場３の様子を建物の各階床の乗り場３付近に設置された乗り場カメラ１１で撮影した乗り場映像を乗りかご２内のかご内表示器５上で確認できる機能を構築したものであるが、乗り場ドアが窓を持つ場合（外ドアとも呼ばれる乗り場ドアが窓を持つ場合には内ドアと呼ばれるかごドアも外部を見通せるハッチングガラス等で構成される場合が多い）には、建物の各階床の乗り場３付近に乗り場カメラ１１を設置する代わりに、図１中に点線で示すように乗りかご２の外壁側である上部外壁天井に乗り場撮影用かご外カメラ１１ａを設置し、係る乗り場撮影用かご外カメラ１１ａによって建物の各階床の乗り場３の出入口に設置される乗り場ドアの窓を介して昇降路１側から乗り場３の様子を撮影した結果を示す乗り場映像信号をスイッチャー７へ出力する構成としても同等な機能が得られる。
【００２１】
また、乗りかご２のかごドアや乗り場ドアが窓を持たない場合でも、建物の各階床の乗り場３の出入口上部に専用の監視窓が設置されるか、或いは出入口に設置される乗り場ドアの所定箇所に専用の監視窓が設けられる構成の場合には、同様に乗りかご２の外壁側に設けられた乗り場撮影用かご外カメラ１１ａによって専用の監視窓を介して乗り場３の様子を撮影することが可能である。因みに、ここで説明したように、乗りかご２の外壁側に乗り場撮影用かご外カメラ１１ａが設けられる構成の場合には、建物の各階床の乗り場３付近に乗り場カメラ１１を設置する必要がなくなるため、建物の各階床の乗り場３付近に乗り場カメラ１１を設置する場合と比べ、全体的な構成上でコストを低減させることができる。
【００２２】
図２は、上述した実施例に係るエレベータ装置に備えられる制御部となるかご上制御マイコン１０の動作処理を示したフローチャートである。
【００２３】
図２を参照すれば、かご上制御マイコン１０は、まず乗りかご２内のかご内操作盤６の押下操作指定により登録されたかご呼び、或いは建物の各階床の乗り場３の出入口近傍に設置された図示されない乗り場釦の押下操作指定によるかご呼びに該当するかご呼びの有無確認（ステップＳ１）の処理を行った後、かご呼び有りか否かの判定（ステップＳ２）を行う。この判定の結果、かご呼びが無ければリターンに移行してかご呼びの有無確認（ステップＳ１）の処理を継続するが、かご呼びが有ればかご内表示器（ＣＰＩ）５へかご内カメラ映像（かご内カメラ４で乗りかご２内を撮影したかご内映像）を表示（ステップＳ３）する処理を行う。ここで、かご内映像をかご内表示器５へ表示する理由は、乗りかご２内でかごドア側の前方に位置している利用者が後方の他の利用者の様子（動き）を把握できるようにして、乗りかご２内の利用者が他の利用者に何らかの危害を加えることを抑止する防犯効果を得るためである。因みに、この状態では乗りかご２はかご呼びのある階床へ移動している。
【００２４】
次に、かご上制御マイコン１０は、かご呼び、乗り場（ホール）呼びの情報、ポジテクタ９から出力される出力信号が入力されている状態を確認するかご呼び、ホール呼び、ポジテクタ入力の確認（ステップＳ４）の処理を行った後、ポジテクタ入力が次回停止階のドアゾーンに入っているか否かの判定（ステップＳ５）を行う。この判定の結果、ポジテクタ入力が次回停止階のドアゾーンに入っていなければかご内表示器（ＣＰＩ）５へかご内カメラ映像を表示（ステップＳ３）する処理の前に戻ってそれ以降の処理を繰り返すが、ポジテクタ入力が次回停止階のドアゾーンに入っていればかご上制御マイコン１０はスイッチャー７へ切り替えの制御指示を行い、かご内表示器（ＣＰＩ）５へホールカメラ画像（上述した乗り場カメラ１１や乗り場撮影用かご外カメラ１１ａで乗り場３を撮影した乗り場映像）を表示（ステップＳ６）する。ここで、ポジテクタ入力が次回停止階のドアゾーンに入った時点で乗り場映像に切り替えるのは、乗りかご２内のかご内映像をできるだけ長くかご内表示器５へ表示させるようにして、乗りかご２内の防犯機能を維持させるためである。かご内表示器５の表示が乗り場映像に切り替えられると、乗りかご２内の利用者は乗り場映像を見て不審者がいるかどうかを確認できるため、かご内操作盤６の戸閉継続釦１２を押下操作するか否かを判断して決定することになる。
【００２５】
そこで、かご上制御マイコン１０は、かご内操作盤６の戸閉継続釦１２が押下操作されているかを戸閉継続釦入力の確認（ステップＳ７）の処理により確認し、戸閉継続釦入力があるか否かの判定（ステップＳ８）を行う。この判定の結果、戸閉継続釦入力が無ければかご上制御マイコン１０は、乗りかご２内の利用者がかご内表示器５に表示された乗り場映像を見て不審者がおらずに戸閉継続釦１２が押下操作しなかったとみなしてかご呼びのある次回停止階へ停止して戸開（ステップＳ９）させる旨の指示を制御盤制御マイコン１３へ行ってからリターンに移行してかご呼びの有無確認（ステップＳ１）の処理を継続するようにするが、戸閉継続釦入力が有ればかご上制御マイコン１０は、乗りかご２内の利用者がかご内表示器５に表示された乗り場映像を見て不審者がいて戸閉継続釦１２を押下操作したとみなしてエレベータに次の呼びが有るか（登録されているか）否かの判定（ステップＳ１０）を行う。この判定の結果、次の呼びが有れば（登録されていれば）エレベータを次の呼びに応答させてエレベータ（乗りかご２）を次々回停止階へ運転（ステップＳ１１）させる旨の指示を制御盤制御マイコン１３へ行ってからかご内表示器（ＣＰＩ）５へかご内カメラ映像を表示（ステップＳ３）する処理の前に戻ってそれ以降の処理を繰り返すが、次の呼びが無ければ戸閉継続（ステップＳ１２）の処理を行ってから戸閉継続釦入力の確認（ステップＳ７）の処理の前に戻ってそれ以降の処理を繰り返す。即ち、次の呼びが無い状態では、乗りかご２は一旦予定していた階床に停止されることになるが、かごドア及び乗り場ドアは戸閉状態を継続し、この後に乗りかご２内の利用者がかご内操作盤６を操作してかご呼びを登録したり、或いは他の階床で乗り場呼びが登録された場合にこれらの呼びに応じて乗りかご２を移動させるための処理フローとなっている。
【００２６】
以上に説明した実施例に係るエレベータ装置では、かご上制御マイコン１０の制御機能により、スイッチャー７を制御指示して切り替えることで、乗り場ドアが窓を具備するか否かに拘らず、乗りかご２が次回停止階となる階床で停止する前に乗り場３に設けられた乗り場カメラ１１や乗りかご２の外壁側に設けられた乗り場撮影用かご外カメラ１１ａから出力される乗り場映像信号に基づく乗り場映像をかご内表示器５に表示させ、乗りかご２内の利用者がかご内表示器５の乗り場映像を確認した上、かご内操作盤６の戸閉継続釦１２を操作するか否かを任意に判断して決定できる機能を持たせているため、乗りかご２内の利用者が次回停止階となる乗り場３の状況を十分に把握した上、不測の事態を事前に回避し得る利用者向けのサービス機能の優れたものとなる。これによって、利用者に安心感を与えると共に、防犯性能の向上が図られるようになる。また、実施例に係るエレベータ装置では、かご上制御マイコン１０の制御機能により、昇降路１の所定箇所に設けられた遮蔽板８に乗りかご２外に設けられたポジテクタ９が次回停止階となる階床のドアゾーン入りの検出時にスイッチャー７へ切り替えの制御指示を行って乗り場映像をかご内表示器５に表示させるため、かご内表示器５上でかご内カメラ４で撮影したかご内映像を可能な限り長く表示することで乗りかご２内における利用者の不審行動を抑止でき、乗りかご２内での防犯性能を維持できるようになる。
【００２７】
尚、実施例に係るエレベータ装置では、説明を簡単にするため、エレベータが１つの昇降路１内で１台の乗りかご２を昇降させる構成としたが、昇降路１に対して乗りかご２が並設される構成の場合にも適用可能である。こうした場合、エレベータ制御装置として機能する制御盤制御マイコン１３を増設分用意する構成が基本となるが、制御盤制御マイコン１３を１台とし、複数のかご上制御マイコン１０と接続してこれらを制御する構成にすることも可能である。また、各機器間を接続する制御線や情報線は図１中では簡略化して選択的に図示しており、実際には殆ど全ての構成要素が相互に接続されているとみなせるものであるが、接続形式は基本的には有線式となるものの、無線通信を適用できる場合にはそれを適用することも可能であるため、種々形態を適用できる。従って、本発明のエレベータ装置は、実施例で説明した形態のものに限定されない。
【符号の説明】
【００２８】
１  昇降路
２  乗りかご
３  ホール
４  かご内カメラ
５  かご内表示器
６  かご内操作盤
７  スイッチャー
８  遮蔽板
９  ポジテクタ
１０  かご上制御マイコン
１１  乗り場カメラ
１１ａ  乗り場撮影用かご外カメラ
１２  戸閉継続釦
１３  制御盤制御マイコン
【図１】
0006412831.tif 000002
【図２】
0006412831.tif 000003